(57)【特許請求の範囲】
【請求項１】
負電圧を受けて動作する駆動回路が備えられた装置の放電回路であって、
負電圧が入力される第１入力端と、接地電圧が入力される第２入力端との間に接続され、かつ、制御信号に応答して、前記負電圧を前記第２入力端の接地電圧に放電させる放電手段と、
前記駆動回路の正常動作モード又は異常動作モードにそれぞれ対応する動作電圧が入力される第３入力端と、前記第３入力端と前記第１入力端との間に接続され、前記駆動回路の正常動作モードにおける動作状態又は非動作状態と、前記駆動回路の異常動作モードを決定する動作信号に応答して前記制御信号を出力する制御手段を含み、
前記動作信号は、前記駆動回路が動作状態である場合接地電圧レベルを有し、非動作状態である場合電源電圧レベルを有し、異常動作モードである場合接地電圧レベルを有することを特徴とする放電回路。
【請求項２】
前記制御手段は、
ノードと前記第３入力端との間に接続され、かつ、前記動作信号に応答して、前記動作電圧を前記ノードに伝達するプルアップ駆動部と、
前記ノードと前記第１入力端との間に接続されたプルダウン駆動部と、
を備えることを特徴とする請求項１に記載の放電回路。
【請求項３】
前記プルアップ駆動部は、ｐ−チャネルを有するトランジスタで構成されることを特徴とする請求項２に記載の放電回路。
【請求項４】
前記プルダウン駆動部は、抵抗素子で構成されることを特徴とする請求項２または３に記載の放電回路。
【請求項５】
前記プルダウン駆動部は、ダイオード接続されたｐ−チャネルを有するトランジスタで構成されることを特徴とする請求項２または３に記載の放電回路。
【請求項６】
前記放電手段は、ｐ−チャネルを有するトランジスタで構成されることを特徴とする請求項１ないし３のいずれか１項に記載の放電回路。
【請求項７】
前記動作電圧は、前記駆動回路の正常動作モードの動作状態及び非動作状態時に電源電圧レベルを有し、前記駆動回路の異常動作モード時に接地電圧レベルを有することを特徴とする請求項１ないし３のいずれか１項に記載の放電回路。
【請求項８】
表示パネルと、
該表示パネルにゲートオン／オフ電圧を発生するゲートオン／オフ電圧発生回路と、
前記表示パネルの動作モードに応じて前記ゲートオフ電圧を放電させる放電回路と、
を備え、
前記放電回路は、
前記ゲートオフ電圧が入力される第１入力端と、接地電圧が入力される第２入力端との間に接続され、かつ、制御信号に応答して、前記ゲートオフ電圧を前記第２入力端の接地電圧に放電させる放電手段と、
前記表示パネルの正常動作モード又は異常動作モードにそれぞれ対応する動作電圧が入力される第３入力端と、該第３入力端と前記第１入力端との間に接続され、動作状態又は非動作状態を決定する動作信号に応答して、前記制御信号を出力する制御手段と、
前記表示パネルの正常動作モード又は異常動作モードにそれぞれ対応する動作電圧が入力される第３入力端と、該第３入力端と前記第１入力端との間に接続され、前記表示パネルの正常動作モードにおける動作状態又は非動作状態と、前記表示パネルの異常動作モードを決定する動作信号に応答して、前記制御信号を出力する制御手段を含み、
前記動作信号は、前記表示パネルが動作状態である場合接地電圧レベルを有し、非動作状態である場合電源電圧レベルを有し、異常動作モードである場合接地電圧レベルを有することを特徴とする表示装置。
【請求項９】
前記制御手段は、
ノードと前記第３入力端との間に接続され、かつ、前記動作信号に応答して、前記動作電圧を前記ノードに伝達するプルアップ駆動部と、
前記ノードと前記第１入力端との間に接続されたプルダウン駆動部と、
を備えることを特徴とする請求項８に記載の表示装置。
【請求項１０】
前記プルアップ駆動部は、ｐ−チャネルを有するトランジスタで構成されることを特徴とする請求項９に記載の表示装置。
【請求項１１】
前記プルダウン駆動部は、抵抗素子で構成されることを特徴とする請求項９または１０に記載の表示装置。
【請求項１２】
前記プルダウン駆動部は、ダイオード接続されたｐ−チャネルを有するトランジスタで構成されることを特徴とする請求項９または１０に記載の表示装置。
【請求項１３】
前記放電手段は、ｐ−チャネルを有するトランジスタで構成されることを特徴とする請求項８ないし１０のいずれか１項に記載の表示装置。
【請求項１４】
前記動作電圧は、前記表示パネルの正常動作モードの動作状態及び非動作状態時に電源電圧レベルを有し、前記表示パネルの異常動作モード時に接地電圧レベルを有することを特徴とする請求項８ないし１０のいずれか１項に記載の表示装置。
【請求項１５】
前記ゲートオフ電圧は、負電圧であることを特徴とする請求項８ないし１０のいずれか１項に記載の表示装置。
【請求項１６】
前記表示パネルは、液晶パネルであることを特徴とする請求項８ないし１０のいずれか１項に記載の表示装置。
【発明の詳細な説明】
【技術分野】
【０００１】
本発明は、表示装置の放電回路に関し、特に、液晶表示装置（ＬＣＤ）のゲートオフ電圧を高速で放電させる放電回路及びこれを備えた表示装置に関する。
【背景技術】
【０００２】
一般的に、液晶表示装置は、液晶を用いて映像を表示する平板表示装置の一つであって、他の平板表示装置に比べて軽薄であり、かつ、低い駆動電圧及び消費電力を有するという長所により、携帯用コンピュータ及びその他の携帯用装置に広く用いられている。
【０００３】
図１は、従来技術に係る液晶表示装置の構成を説明するための構成図である。
【０００４】
図１に示すように、一般的に、液晶表示装置は、タイミング制御回路１０１と、ゲートドライブ回路１０２と、ソースドライブ回路１０３と、階調電圧発生回路１０４と、液晶パネル１０５と、ゲートオン／オフ電圧発生回路１０６とを備える。
【０００５】
タイミング制御回路１０１は、Ｒ（Ｒｅｄ）、Ｇ（Ｇｒｅｅｎ）及びＢ（Ｂｌｕｅ）の色信号ＲＧＢ、水平同期信号ＨＳＹＮＣ及び垂直同期信号ＶＳＹＮＣ、並びにクロック信号ＣＬＫをそれぞれ受信して、ゲートドライブ回路１０２及びソースドライブ回路１０３の動作を制御する制御信号を生成する。
【０００６】
ゲートドライブ回路１０２は、タイミング制御回路１０１から入力される制御信号に応答して動作し、液晶パネル１０５に備えられた薄膜トランジスタ（ＴＦＴ：Ｔｈｉｎ  Ｆｉｌｍ  Ｔｒａｎｓｉｓｔｏｒ）をオン／オフさせるのに必要なゲートオン電圧ＶＧＨ及びゲートオフ電圧ＶＧＬをゲートオン／オフ電圧発生回路１０６から受けて、液晶パネル１０５の動作を制御する。
【０００７】
ソースドライブ回路１０３は、タイミング制御回路１０１から入力される制御信号に応答して、階調電圧発生回路１０４から入力された複数の電圧レベルを有する階調電圧を液晶パネル１０５に伝達する。
【０００８】
液晶パネル１０５は、複数のゲートラインＧ０〜Ｇｎと、ゲートラインＧ０〜Ｇｎと垂直に交差する複数のデータラインＤ１〜Ｄｍとを備える。さらに、ゲートラインＧ０〜ＧｎとデータラインＤ１〜Ｄｍとが交差する地点に構成された画素を備える。ここで、ｎ、ｍは、自然数である。
【０００９】
画素は、１つの薄膜トランジスタＴＦＴ、維持キャパシタＣｓｔ、及び液晶キャパシタＣｐで構成される。薄膜トランジスタＴＦＴのゲートは、ゲートラインＧ０〜Ｇｎに接続され、ソースは、データラインＤ１〜Ｄｍに接続される。また、薄膜トランジスタＴＦＴのドレインには、液晶キャパシタＣｐの一端と、維持キャパシタＣｓｔの一端とが並列に接続される。液晶キャパシタＣｐの他端は、共通電極に接続され、維持キャパシタＣｓｔの他端は、前段のゲートラインに接続される。
【００１０】
一般的に、薄膜トランジスタＴＦＴは、スイッチング素子として機能する。薄膜トランジスタＴＦＴがターンオン状態のときは、データラインを介して階調電圧発生回路１０４から伝達された階調電圧により、液晶キャパシタＣｐが充電される。薄膜トランジスタＴＦＴがターンオフ状態のときは、液晶キャパシタＣｐに充電された電圧が漏洩することを防止する。ここで、薄膜トランジスタＴＦＴをターンオンさせるのに必要な電圧を「ゲートオン電圧ＶＧＨ」といい、ターンオフさせるのに必要な電圧を「ゲートオフ電圧ＶＧＬ」という。
【００１１】
以下、図１に示す液晶表示装置の駆動特性を簡略に説明する。
【００１２】
図１において、第１行のゲートラインＧ１にゲートオン電圧ＶＧＨが印加された場合、ゲートラインＧ１に接続されている第１行の薄膜トランジスタＴＦＴ１は、全てターンオンされる。このとき、ソースドライブ回路１０３からデータラインＤ１〜Ｄｍを介して提供される階調電圧は、薄膜トランジスタＴＦＴ１を経由して、液晶キャパシタＣｐ１と維持キャパシタＣｓｔ１とに印加される。これにより、液晶キャパシタＣｐ１は、階調電圧と共通電極電圧との差に該当する電圧によって充電され、維持キャパシタＣｓｔ１は、階調電圧と前段のゲートラインＧ０のゲートオフ電圧ＶＧＬとの差に該当する電圧によって充電される。また、ゲートラインＧ１に接続された次行の維持キャパシタＣｓｔ２も充電される。
【００１３】
この状態において、外部衝撃や停電などの理由により、外部電源電圧が遮断され、液晶パネルの駆動回路が異常停止した場合、液晶パネル１０５内の維持キャパシタＣｓｔと液晶キャパシタＣｐとに充電されていた電荷が、完全に放電されるには若干の時間がかかる。その理由は、電源電圧の遮断により、薄膜トランジスタＴＦＴがターンオフされてドレイン端がフローティング状態になり、これにより、維持キャパシタＣｓｔと液晶キャパシタＣｐとに充電されていた電荷は、自然に放電されるからである。これにより、ユーザが電源電圧の供給を遮断しても、緩やかな電荷の放電により、残像が発生する。
【００１４】
電荷の放電は、薄膜トランジスタＴＦＴのゲート電圧−チャネル電流特性により、その時間が長いか若しくは短くなり、現在、液晶パネルの駆動回路では、外部電源電圧の供給が遮断された後、数十ミリ秒（ｍｓ）〜数百ミリ秒（ｍｓ）の時間にかけて、ゲートオフ電圧ＶＧＬのレベルが０Ｖ（接地電圧レベル）に低下する。このときから、液晶パネル１０５内に充電されていた電荷が放電され、黒（ｎｏｒｍａｌｌｙ  ｂｌａｃｋ）／白（ｎｏｒｍａｌｌｙ  ｗｈｉｔｅ）の画面になる。
【００１５】
このように、外部電源電圧の供給が遮断され、液晶パネル１０５、すなわち、駆動回路が動作せずにオフになったとき、画面の残像が発生することを防止するためには、ゲートオフ電圧ＶＧＬを０Ｖに速やかに放電させなければならない。これまでに知られているゲートオフ電圧ＶＧＬの放電方法としては、図２に示すように、駆動回路の内部または駆動回路の外部のモジュール上に存在する抵抗素子Ｒを用いて放電させる方法が用いられている。
【００１６】
しかし、図２のように、抵抗素子Ｒを用いた従来の放電方法では、抵抗素子Ｒの抵抗値による影響が大きくなる。例えば、抵抗素子Ｒの抵抗値が高い場合、ゲートオフ電圧ＶＧＬの放電速度が遅くなり、残像が発生する。反面、抵抗素子Ｒの抵抗値が低い場合、ゲートオフ電圧ＶＧＬの放電速度を増加させ得るが、正常な状態では、ゲートオフ電圧ＶＧＬから接地電圧端に過度なリーク電流が発生し、全体的にゲートオフ電圧ＶＧＬを作る昇圧回路に負担を与えてしまう。
【発明の概要】
【発明が解決しようとする課題】
【００１７】
そこで、本発明は、従来技術に係る問題を解決するためになされたものであって、その目的は、表示装置の待機モード（ｓｔａｎｄｂｙ  ｍｏｄｅ：駆動回路が動作しない非動作状態のモード）や、衝撃、停電により、表示パネルに外部電圧が供給されずに遮断されたとき、負電圧のゲートオフ電圧を接地電圧レベルに高速で放電させることにより、残像の発生を遮断することができる放電回路及びこれを備えた表示装置を提供することにある。
【課題を解決するための手段】
【００１８】
上記の目的を達成するための一形態に係る発明は、負電圧を受けて動作する駆動回路が備えられた装置の放電回路であって、負電圧が入力される第１入力端と、接地電圧が入力される第２入力端との間に接続され、かつ、制御信号に応答して、前記負電圧を前記第２入力端の接地電圧に放電させる放電手段と、前記駆動回路の正常動作モード又は異常動作モードにそれぞれ対応する動作電圧が入力される第３入力端と、前記第３入力端と前記第１入力端との間に接続され、前記駆動回路の正常動作モードにおける動作状態又は非動作状態と、前記駆動回路の異常動作モードを決定する動作信号に応答して前記制御信号を出力する制御手段を含み、前記動作信号は、前記駆動回路が動作状態である場合接地電圧レベルを有し、非動作状態である場合電源電圧レベルを有し、異常動作モードである場合接地電圧レベルを有することを特徴とする。
【００１９】
また、上記の目的を達成するための他の形態に係る発明は、表示パネルと、該表示パネルにゲートオン／オフ電圧を発生するゲートオン／オフ電圧発生回路と、前記表示パネルの動作モードに応じて前記ゲートオフ電圧を放電させる放電回路と、を備え、前記放電回路は、前記ゲートオフ電圧が入力される第１入力端と、接地電圧が入力される第２入力端との間に接続され、かつ、制御信号に応答して、前記ゲートオフ電圧を前記第２入力端の接地電圧に放電させる放電手段と、前記表示パネルの正常動作モード又は異常動作モードにそれぞれ対応する動作電圧が入力される第３入力端と、該第３入力端と前記第１入力端との間に接続され、動作状態又は非動作状態を決定する動作信号に応答して、前記制御信号を出力する制御手段と、前記表示パネルの正常動作モード又は異常動作モードにそれぞれ対応する動作電圧が入力される第３入力端と、該第３入力端と前記第１入力端との間に接続され、前記表示パネルの正常動作モードにおける動作状態又は非動作状態と、前記表示パネルの異常動作モードを決定する動作信号に応答して、前記制御信号を出力する制御手段を含み、前記動作信号は、前記表示パネルが動作状態である場合接地電圧レベルを有し、非動作状態である場合電源電圧レベルを有し、異常動作モードである場合接地電圧レベルを有することを特徴とする。
【発明の効果】
【００２０】
本発明によれば、液晶パネルの駆動回路が正常に動作している場合は、ゲートオフ電圧（負電圧）が入力される第１入力端と、接地電圧が入力される第２入力端との間の電流経路を遮断することで、第１入力端と第２入力端との間のリーク電流を遮断し、外部電源電圧の供給が遮断され、液晶パネルの駆動回路が停止した場合は、第１入力端と第２入力端との間に電流経路を形成してゲートオフ電圧を第２入力端に速やかに放電させることにより、液晶パネルに現れる残像を除去することができる。
【図面の簡単な説明】
【００２１】
【図１】従来技術に係る液晶表示装置の構成を示す図である。
【図２】従来技術に係る放電回路を示す図である。
【図３】従来技術に係る放電回路の特性を説明するための図である。
【図４】本発明の実施形態に係る放電回路を適用した装置を示す概念図である。
【図５】本発明の実施形態に係る放電回路の構成を示す図である。
【図６】本発明の他の実施形態に係る放電回路の構成を示す図である。
【図７】本発明の実施形態に係る放電回路を適用した液晶表示装置を示す図である。
【図８Ａ】本発明の実施形態に係る放電回路の動作特性を説明するための図である。
【図８Ｂ】本発明の実施形態に係る放電回路の動作特性を説明するための図である。
【図８Ｃ】本発明の実施形態に係る放電回路の動作特性を説明するための図である。
【図９】本発明の実施形態に係る放電回路の特性を説明するための図である。
【発明を実施するための形態】
【００２２】
以下、本発明の属する技術分野における通常の知識を有する者が本発明の技術的思想を容易に実施できる程度に詳細に説明するため、添付図面を参照して本発明の好ましい実施形態を説明する。また、実施形態の説明において、「駆動回路」は、表示パネル、例えば、液晶パネルを駆動する駆動ＩＣとして記述されているが、これに制限されず、負電圧を受けて動作する全ての回路を含むものであって、少なくとも１つのトランジスタと、負電圧が充電されるキャパシタとを備えることができる。
【００２３】
図４は、本発明の実施形態に係る放電回路２２０を説明するためのブロック図である。
【００２４】
図４に示すように、本発明の実施形態に係る放電回路２２０は、負電圧ＶＧＬを受けて動作する駆動回路２１０が備えられた装置において、負電圧ＶＧＬを接地電圧レベルに放電させるのに用いられる。例えば、駆動回路２１０は、表示パネルの駆動回路であり得る。
【００２５】
より詳細には、図５は、本発明の実施形態に係る放電回路２２０の構成を示す回路図である。
【００２６】
図５のように、放電回路２２０は、負電圧ＶＧＬが入力される第１入力端と、接地電圧ＧＮＤが入力される第２入力端との間に接続され、かつ、制御信号に応答して、負電圧ＶＧＬを第２入力端の接地電圧ＧＮＤに放電させる放電手段２２１と、駆動回路２１０の正常動作モード及び異常動作モードにそれぞれ対応する動作電圧ＶＣＩが入力される第３入力端と、負電圧ＶＧＬが入力される第１入力端との間に接続され、かつ、駆動回路２１０の正常動作モードにおいて、動作状態及び非動作状態を決定する動作信号ＤＰＯＰに応答して、制御信号を出力する制御手段２２２とを備える。
【００２７】
制御手段２２２は、ノードＮと第３入力端との間に接続され、かつ、動作信号ＤＰＯＰに応答して、動作電圧ＶＣＩをノードＮに伝達するプルアップ駆動部Ｐ１と、ノードＮと第１入力端との間に接続されたプルダウン駆動部ＲＲとを備える。例えば、プルアップ駆動部Ｐ１は、ｐ−チャネルを有するトランジスタで構成され、プルダウン駆動部ＲＲは、抵抗素子で構成される。
【００２８】
放電手段２２１は、ｐ−チャネルを有するトランジスタＰ２で構成される。トランジスタＰ２は、ゲートがノードＮに接続され、ドレインが第１入力端に接続され、ソースが第２入力端に接続される。トランジスタＰ２は、ノードＮから出力される制御信号に応答して、ゲートオフ電圧の負電圧ＶＧＬを第２入力端の接地電圧ＧＮＤに速やかに放電させて接地電圧レベルにする。
【００２９】
一方、制御手段２２２は、図６のように構成することもできる。
【００３０】
図６は、本発明の他の実施形態に係る放電回路の構成を示す回路図である。
【００３１】
図６に示すように、制御手段２２２は、ノードＮと第３入力端との間に接続され、かつ、動作信号ＤＰＯＰに応答して、動作電圧ＶＣＩをノードＮに伝達するプルアップ駆動部Ｐ１と、ノードＮと第１入力端との間に接続されたプルダウン駆動部Ｐ３とを備える。このとき、プルアップ駆動部Ｐ１は、図５と同じように、ｐ−チャネルを有するトランジスタで構成される。しかし、プルダウン駆動部Ｐ３は、ダイオード接続されたｐ−チャネルを有するトランジスタで構成される。すなわち、プルダウン駆動部Ｐ３は、ゲートとドレインとが相互接続された状態で第１入力端に接続され、ソースがノードＮに接続されてダイオード接続を構成する。これにより、プルダウン駆動部Ｐ３は、抵抗素子として機能する。
【００３２】
一方、放電回路２２０は、比較的高い電圧で動作しなければならないため、図５及び図６において、ｐ−チャネルを有するトランジスタは、両方とも高電圧トランジスタを用いることが好ましい。
【００３３】
図７は、本発明の実施形態に係る放電回路２２０を備えた表示装置を簡略に示すブロック図である。ここでは、説明の便宜上、液晶表示装置を挙げて説明する。
【００３４】
図７に示すように、本発明に係る液晶表示装置は、タイミング制御回路１０１と、ゲートドライブ回路１０２と、ソースドライブ回路１０３と、階調電圧発生回路１０４と、液晶パネル１０５と、ゲートオン／オフ電圧発生回路１０６と、放電回路２２０とを備える。
【００３５】
図７に示す液晶表示装置は、図１に示す液晶表示装置と比較してみると、ゲートオン／オフ電圧発生回路１０６のゲートオフ電圧ＶＧＬの出力端に接続された放電回路２２０を除けば、図１に示す液晶表示装置と同じ構成を有する。したがって、構成要素のうち、図１に示す液晶表示装置の構成要素と同じ構成要素については、図１で使用したものと同じ図面符号を付し、図１に示す構成要素と同じ構成要素については、説明の重複を避けるため、詳細な説明を省略する。
【００３６】
表示装置は、液晶パネル１０５と、液晶パネル１０５にゲートオン／オフ電圧を発生するゲートオン／オフ電圧発生回路１０６と、液晶パネル１０５の動作モードに応じてゲートオフ電圧ＶＧＬを放電させる放電回路２２０とを備える。図５及び図６のように、放電回路２２０は、ゲートオフ電圧ＶＧＬが入力される第１入力端と、接地電圧が入力される第２入力端との間に接続され、かつ、制御信号に応答して、前記ゲートオフ電圧ＶＧＬを前記第２入力端の接地電圧ＧＮＤに放電させる放電手段２２１と、液晶パネル１０５の正常動作モード及び異常動作モードにそれぞれ対応する動作電圧ＶＣＩが入力される第３入力端と、前記第１入力端との間に接続され、かつ、液晶パネル１０５の正常動作モードにおいて、動作状態及び非動作状態を決定する動作信号ＤＰＯＰに応答して、前記制御信号を出力する制御手段２２２とを備える。
【００３７】
以下、図８Ａ〜図８Ｃを関連付けて、本発明の実施形態に係る放電回路２２０の動作を説明する。
【００３８】
＜正常動作モード＞
正常動作モードは、駆動回路、例えば、ゲートドライブ回路１０２によって制御される液晶パネル１０５の状態により、動作状態と非動作状態（待機モードを含む）とに分けられる。動作状態は、電源電圧の円滑な供給により駆動回路が正常に動作し、液晶パネル１０５が動作する状態を意味する。非動作状態は、ユーザが電源スイッチなどを操作して駆動回路を正常に停止させることにより、液晶パネル１０５が動作しなくなった状態を意味する。
【００３９】
図８Ａは、正常動作モードにおいて、液晶パネル１０５が動作状態のときの放電回路２２０の動作を示すための回路図である。図８Ａのように、液晶パネル１０５が動作状態のとき、動作信号ＤＰＯＰは、接地電圧レベルを有する。これにより、トランジスタＰ１はターンオンされ、これにより、第３入力端を介して電源電圧である動作電圧ＶＣＩがノードＮに伝達され、トランジスタＰ２はターンオフされる。したがって、第１入力端と第２入力端との間の電流経路が遮断され、ゲートオフ電圧ＶＧＬは、第２入力端に放電されずに自体のレベルを維持する。
【００４０】
図８Ｂは、正常動作モードにおいて、液晶パネル１０５が非動作状態のときの放電回路２２０の動作を示すための回路図である。図８Ｂのように、液晶パネル１０５が非動作状態のとき、動作信号ＤＰＯＰは、電源電圧レベルを有する。これにより、トランジスタＰ１はターンオフされ、ノードＮには、プルダウン駆動部ＲＲによりゲートオフ電圧ＶＧＬがかかる。これにより、トランジスタＰ２はターンオンされる。したがって、第１入力端と第２入力端との間に電流経路が形成され、ゲートオフ電圧ＶＧＬは、第２入力端の接地電圧ＧＮＤに放電される。
【００４１】
＜異常動作モード＞
異常動作モードは、駆動回路２１０または駆動回路であるゲートドライブ回路１０２によって制御される液晶パネル１０５が、正常動作モードにおいて、外部衝撃や停電などの理由のように、異常な形で外部電源電圧が遮断され、駆動回路が停止した場合を意味する。
【００４２】
図８Ｃは、異常動作モードにおいて、液晶パネル１０５が動作状態のときの放電回路２２０の動作を示すための回路図である。図８Ｃのように、液晶パネル１０５が動作状態のとき、動作信号ＤＰＯＰは、接地電圧レベルを有する。このとき、外部電源電圧の遮断により、第３入力端には、電源電圧の代わりに接地電圧が供給される。これにより、トランジスタＰ１は、ターンオン状態に維持された後、電源電圧の遮断により、接地電圧が供給された時点でターンオフされる。これにより、ノードＮには、プルダウン駆動部ＲＲによりゲートオフ電圧ＶＧＬがかかり、トランジスタＰ２はターンオンされる。したがって、第１入力端と第２入力端との間に電流経路が形成され、ゲートオフ電圧ＶＧＬは、第２入力端の接地電圧ＧＮＤに放電される。
【００４３】
図８Ａ〜図８Ｃのように、本発明の実施形態に係る放電回路は、正常動作モードにおいて、液晶パネル１０５が非動作状態のとき、また、正常動作モードから異常動作モードに移行したとき、トランジスタＰ２を介してゲートオフ電圧ＶＧＬを第２入力端の接地電圧ＧＮＤに速やかに放電させる。
【００４４】
図３は、図２のように、抵抗素子のみを用いて放電回路を構成した、従来技術を適用した駆動回路で測定した図であり、図９は、本発明の実施形態に係る放電回路を適用した駆動回路で測定した図である。各図において、「ＶＣＬ」は、共通電極電圧を表す。
【００４５】
図３のように、従来技術では、異常動作モード、すなわち、モジュールが異常停止（外部電源電圧の遮断により、駆動回路が停止）した場合、ゲートオフ電圧ＶＧＬが徐々に放電されていることを確認することができる。反面、図９のように、本発明では、従来技術に比べてゲートオフ電圧ＶＧＬが速やかに放電されていることを確認することができる。
【００４６】
上述のように、本発明では、放電回路を図５及び図６のように構成することにより、液晶パネルの駆動回路が正常に動作している場合は、ゲートオフ電圧ＶＧＬから第２入力端（接地電圧端）に流れるリーク電流を遮断し、外部電源電圧である動作電圧ＶＣＩの供給が遮断され、駆動回路が停止した場合は、液晶パネルのゲートオフ電圧ＶＧＬを第２入力端に速やかに放電させることにより、液晶パネルに現れる残像を除去することができる。
【００４７】
以上で説明したように、本発明の技術的思想は、好ましい実施形態により具体的に記述されたが、これは、説明のためのものであって、それを制限するためのものではないことに留意しなければならない。また、本発明の実施形態において、表示パネルの駆動回路として、液晶パネルを制御する駆動回路を挙げて記述したが、これは、説明の便宜のためであって、負電圧を受けて動作した後、動作上、負電圧を速やかに放電しなければならない半導体回路（装置）に全て適用可能である。また、この技術分野における通常の専門家であれば、本発明の技術的思想の範囲内で多様な実施形態が可能であることを理解することができる。
【符号の説明】
【００４８】
１０１      タイミング制御回路
１０２      ゲートドライブ回路
１０３      ソースドライブ回路
１０４      階調電圧発生回路
１０５      液晶パネル
１０６      ゲートオン／オフ電圧発生回路
２００      負電圧発生回路
２１０      駆動回路
２２０      放電回路
２２１      放電手段
２２２      制御手段
【図１】
0005213181.tif 000002
【図２】
0005213181.tif 000003
【図３】
0005213181.tif 000004
【図４】
0005213181.tif 000005
【図５】
0005213181.tif 000006
【図６】
0005213181.tif 000007
【図７】
0005213181.tif 000008
【図８Ａ】
0005213181.tif 000009
【図８Ｂ】
0005213181.tif 000010
【図８Ｃ】
0005213181.tif 000011
【図９】
0005213181.tif 000012